Podtech/llm-jp-corpus-v4-ja_patent huggingface dataset:
(57)【要約】      （修正有）【課題】寝袋として使用しない際には、他の物品として使用できる寝袋クッションを提供する。【解決手段】寝袋と、寝袋を偏平に折畳んだ状態で収納するカバー体２とで構成され、カバー体２が一辺を開口部２１として、開口部２１に開閉部材（ファスナー）２２を設けた袋状とし、寝袋として使用しない時は折畳んでカバー体２に収納して、クッション機能を有する寝袋を詰め物としたクッションとして使用する。【選択図】図１
0003221340.tif 000002
【実用新案登録請求の範囲】
【請求項１】
寝袋と、寝袋を偏平に折畳んだ状態で収納するカバー体で構成したことを特徴とする寝袋クッション。
【請求項２】
カバー体が一方を開口し、開口部分に開閉部材を設けた袋状である寝袋クッション。
【請求項３】
寝袋が封筒型で、カバー体が矩形状である請求項２記載の寝袋クッション。
【考案の詳細な説明】
【技術分野】
【０００１】
本考案は、寝袋をクッションとして使用する寝袋クッションに関するものである。
【背景技術】
【０００２】
寝袋は種々の形状のものが知られているが、不使用時には図４に示すように寝袋１を単に丸めて紐１１などで結束している。また必要に応じて筒状の収納袋に収納するものである（非特許文献１）。
【０００３】
また寝袋使用時でも寝袋に装着した状態で使用されるカバー体も知られている（特許文献１）。
【先行技術文献】
【特許文献】
【０００４】
【特許文献１】特開平７−８８０３１号公報。
【非特許文献】
【０００５】
【非特許文献１】キャプテンスタッグ公式サイト「ホーム＞アウトドア＞キャンプアウト＞封筒型シュラフ（寝袋）８００（カモフラージュ）［平成３１年１月１３日検索］、インターネット（ＵＲＬ：https://www.captainstag.net/goods_UB-20.html）
【考案の概要】
【考案が解決しようとする課題】
【０００６】
従前のカバー体と組み合わされる寝袋は、寝袋として使用しない時には、単に丸めてカバー体に収納おくのが一般的であり、寝具としてしか使用されていない。
【０００７】
そで本考案は、寝袋不使用時にクッションとして使用することができる寝袋クッションを提案したものである。
【課題を解決するための手段】
【０００８】
本考案の請求項１記載に係る寝袋クッションは、寝袋と、寝袋を偏平に折畳んだ状態で収納するカバー体で構成したことを特徴とするものである。
【０００９】
而して寝袋は通常通りに使用するものであり、不使用時には折畳んでカバー体に収納すると、クッション機能（圧縮に対する復帰力）を有する折畳まれた寝袋が詰め物となるクッションが形成される。
【考案の効果】
【００１０】
本考案の構成は上記のとおりであるから、寝袋を通常通り使用できるほか、不使用時においてもクッションとして使用できるようにして寝袋の利用性を高めたものである。
【図面の簡単な説明】
【００１１】
【図１】本考案の実施形態を示す説明図（寝袋収納前）。
【図２】同図（寝袋収納後）。
【図３】同寝袋使用時の説明図。
【図４】同従来の寝袋の不使用時収納の説明図。
【考案を実施するための形態】
【００１２】
次に本考案の実施形態について説明する。本考案の寝袋クッションは、寝袋１とカバー体２で構成される。
【００１３】
寝袋１は図示するとおり封筒型が最適である。封筒型の寝袋１は略均一の厚さになるように折畳むことが容易である。
【００１４】
カバー体２は、折畳んだ寝袋１Ａの外形状と対応した矩形状の袋体であって、一辺を開口部２１とし、前記開口部２１にファスナーなどの開閉部材２２を付設したものである。
【００１５】
而して寝袋１は図３に示したとおり、通常に使用するものであり、不使用時には図１に示すように適宜均一の厚さとなるように折畳み、折畳んだ寝袋１Ａをカバー体２の開口部２１から内部に充填し、開口部２１を開閉部材２２で閉じると、図２に例示するようにクッションとなるものである。
【００１６】
従って寝袋１は使用時にカバー体２から取出し通常の寝袋として使用され、不使用時にはカバー体２内に収納してクッションとして使用することができるものである。
【００１７】
尚本考案は上記の実施形態に限定されるものではなく、寝袋１は、前記の封筒型に限らず卵型や人型でも良く、またカバー体２も折畳んだ寝袋１を包み込むように収納できれば良いものであり、その外形状や収納手段（開口部分の閉塞手段）は任意に定められるものである。
【符号の説明】
【００１８】
１    寝袋
１Ａ  折畳んだ寝袋
２    カバー体
２１  開口部
２２  開閉部材
【図１】
0003221340.tif 000003
【図２】
0003221340.tif 000004
【図３】
0003221340.tif 000005
【図４】
0003221340.tif 000006
【手続補正書】
【提出日】平成31年3月13日(2019.3.13)
【手続補正１】
【補正対象書類名】実用新案登録請求の範囲
【補正対象項目名】全文
【補正方法】変更
【補正の内容】
【実用新案登録請求の範囲】
【請求項１】
寝袋と、寝袋を偏平に折畳んだ状態で収納するカバー体で構成したことを特徴とする寝袋クッション。
【請求項２】
カバー体が一方を開口し、開口部分に開閉部材を設けた袋状である請求項１記載の寝袋クッション。
【請求項３】
寝袋が封筒型で、カバー体が矩形状である請求項２記載の寝袋クッション。
(57)【要約】      （修正有）【課題】「ピーク電力」を削減し、学校での「基本契約電気料金」を削減できる学校太陽光発電システムを提供する。【解決手段】高圧受電盤２で受電している学校の屋根に太陽光発電設備７を設置し、電力検定を受けて取引証明用計器として認可を受けた「検定電力量計」を、電力会社１から電力を購入するための購入用「検定電力量計」Ａとして備えている学校の電気系統に、太陽光発電設備の電力を学校内に供給するための供給用「検定電力量計」Ｃと、電力会社へ余剰電力を販売するための販売用「検定電力量計」Ｂと、を接続する。【選択図】図２
0003221333.tif 000002
【実用新案登録請求の範囲】
【請求項１】
高圧受電盤２で受電している学校の屋根に太陽光発電設備７を設置し、電力検定を受けて取引証明用計器として認可を受けた「検定電力量計」（以下、「検定電力量計」という）を、電力会社１から電力を購入するための購入用「検定電力量計」Ａが備えられている従来の学校の電気系統に、太陽光発電設備７の電力を学校内に供給するための供給用「検定電力量計」Ｃと電力会社１へ余剰電力を販売するための販売用「検定電力量計」Ｂを接続したことを特徴とする学校太陽光発電システム。
【考案の詳細な説明】
【技術分野】
【０００１】  本考案は、太陽光発電設備の学校設置にかかわるものである。
【背景技術】
【０００２】  従来の学校の電気系統は図１のごとく、電力会社１からの購入用「検定電力量計」Ａを経由して高圧受電盤２で受電し、これを分電盤３で分電して、照明４、機器５、エアコン６に供給するようになっていた。
【先行技術文献】
【０００３】  特に無い。
【考案の概要】
【考案が解決しようとする課題】
【０００４】  近年の猛暑により、全国各地の高圧受電盤２で受電している学校で教室にエアコン６を増設しているが、エアコン６を増設すると夏期、７月、８月の日中の１時間あたりの最大消費電力（以下、「ピーク電力」という）が増加してしまうので購入用「検定電力量計」Ａで計測される基本契約電力（ｋＷ）が増加し、毎月支払う「基本契約電気料金」の負担増が大きな課題となっている。さらに、この「基本契約電気料金」は「ピーク電力」発生月以降１年間払い続ける義務があり、学校での「基本契約電気料金」が仮に夏期ピーク電力により月間１０万円増加したとすると１年間の負担増は１２０万円の増加となり、これが大きな経費負担となっていた。【０００５】  また、太陽光発電設備７を取り付けることにより、この負担を軽減しようとする試みもあったが、エアコン設置費用に加えての太陽光発電設備費用の負担増は学校では負担できなかった。
【問題を解決するための手段】
【０００６】  上記課題を、解決するために、
高圧受電盤２で受電している学校の屋根に太陽光発電設備７を設置し、図１のごとく、電力会社１から電力を購入するため購入用「検定電力量計」Ａが備えられている従来の学校の電気系統に、図２のごとく、太陽光発電設備７の電力を学校内に供給するための供給用「検定電力量計」Ｃと電力会社１へ余剰電力を販売するための販売用「検定電力量計」Ｂを接続したことを特徴とする学校太陽光発電システムより解決しようとするものである。
【考案の効果】
【０００７】  学校でのエアコン６による冷房の「ピーク電力」の増加は、夏期の、７月、８月の昼間の時間帯である。図２のごとく、太陽光発電設備７が効率よく発電する時間帯と重なる特徴があるので、エアコン６の消費電力のほとんどを太陽光発電設備７からの電力でまかなうことが出来るようになる。つまり、購入用「検定電力量計」Ａの電力が削減されるので、エアコン６による冷房の電力会社１の「ピーク電力」増加を防止できるようになるので、本考案の学校太陽光発電システムにより、エアコン６で増加した「基本契約電気料金」を引き下げることができるようになる。
【０００８】  また、本考案の学校太陽光発電システムの設置費用は、供給用「検定電力量計」Ｃで計量した電力量のうち販売用「検定電力量計」Ｂで計量した電力量を差し引いた消費電力量を学校に請求し、販売用「検定電力量計」Ｂで計量した販売電力量を電力会社１に請求することにより償却できるようになる。
【０００９】  さらに、本考案の学校太陽光発電システムにより供給された電力はＣＯ２（二酸化炭素）を発生しないので環境効果を生み出すようになる。
【図面の簡単な説明】
【００１０】
【図１】従来の学校の電気系統を示す図である。
【図２】本考案の学校太陽光発電システムの電気系統を示す図である。
【考案を実施するための形態】
【００１１】  本考案による学校太陽光発電システムの形態について説明すると、
本考案の学校太陽光発電システムは図２のごとく
高圧受電盤２で受電している学校の屋根に太陽光発電設備７を設置し、電力会社１から電力を購入するための購入用「検定電力量計」Ａが備えられている従来の学校の電気系統に、太陽光発電設備７の電力を学校内に供給するための供給用「検定電力量計」Ｃと電力会社１へ余剰電力を販売するための販売用「検定電力量計」Ｂを接続したことを特徴とする学校太陽光発電システムを完成する。
【実施例】
【００１２】  実施例としては、図２のごとく
高圧受電盤２で受電している学校の屋根にエアコン６で増加する消費電力の２倍程度の発電能力のある太陽光発電設備７を設置する。【００１３】  電力会社１から電力を購入するための購入用「検定電力量計」Ａが備えられている従来の学校の電気系統に、太陽光発電設備７のからの電線を学校へ供給するためを供給用「検定電力量計」Ｃを経由して分電盤３に接続する。【００１４】  さらに、電力会社１へ余剰電力を販売するための販売用「検定電力量計」Ｂを電力会社１と高圧受電盤２の間に接続する。
これにより本校案の学校太陽光発電システムが完成する。
【符号の説明】１  電力会社
２  高圧受電盤
３  分電盤
４  照明
５  機器
６  エアコン
７  太陽光発電設備
Ａ  購入用「検定電力量計」
Ｂ  販売用「検定電力量計」
Ｃ  供給用「検定電力量計」
【図１】
0003221333.tif 000003
【図２】
0003221333.tif 000004
【手続補正書】
【提出日】平成31年2月22日(2019.2.22)
【手続補正１】
【補正対象書類名】実用新案登録請求の範囲
【補正対象項目名】全文
【補正方法】変更
【補正の内容】
【実用新案登録請求の範囲】
【請求項１】
高圧受電盤２で受電している学校の屋根に太陽光発電設備７を設置し、電力検定を受けて取引証明用計器として認可を受けた「検定電力量計」（以下、「検定電力量計」という）を、電力会社１から電力を購入するための購入用「検定電力量計」Ａとして備えている学校の電気系統に、太陽光発電設備７の電力を学校内に供給するための供給用「検定電力量計」Ｃと電力会社１へ余剰電力を販売するための販売用「検定電力量計」Ｂを接続したことを特徴とする学校太陽光発電システム。
(57)【要約】      （修正有）【課題】基本となるグリップの形でクラブを握れるように、初めから必要な部分を密着した形状に縫製したゴルフ手袋を提供する。【解決手段】親指と人差し指の付け根部分を密着した形状１に縫製され、かつ、中指・薬指及び小指の３本を密着した形状２に縫製された、左手用の手袋と、親指と人差し指の付け根部分を密着した形状に縫製された、右手用の手袋と、からなる。【選択図】図１
0003221352.tif 000002
【実用新案登録請求の範囲】
【請求項１】
（ア）  左手用、手袋の親指と人差し指の付け根部分を密着した形状に縫製する。
（イ）  左手用の手袋の中指・薬指及び小指の３本を密着した形状に縫製する。
（ウ）  右手用の手袋の親指と人差し指の付け根部分を密着した形状に縫製する。
左右手用のゴルフ手袋である。
【考案の詳細な説明】
【技術分野】
【０００１】
本考案は、基本となるグリップの形でクラブを握れるように、初めから必要な部分を密着した形状に縫製したゴルフ手袋である。
【背景技術】
【０００２】
これまでグリップの基本的な握りに付いての書物などが在るがうまく固定されない。
【非特許文献１】ｇｌｆ−ｇａｋｋｏ．ｃｏｍ
【非特許文献２】ｗａｋａｒｏｏ．ｃｏｍ
【考案の開示】
【考案が解決しようとする課題】
【０００３】
解決しようとする問題点は、左手用、手袋の親指と人差し指の付け根部分を密着しゆるみを無くし、同時に中指・薬指及び小指の３本を密着した形状に縫製する事でクラブと手の密着を強めスイング中グリップのゆるみを減少、更に右手用の手袋の親指と人差し指の付け根部分を密着した形状に縫製も同様の目的である。
【課題を解決するための手段】
【０００４】
（イ）左手袋の第一関節部分と人差し指の付け根部分を密着した形状に縫製する。  図１
（ロ）左手袋の中指・薬指及び小指の３本を密着した形状に縫製する。  図２
（ハ）右手袋の親指・第一関節部分と人差し指の付け根部分を密着した形状に縫製する。  図３
【考案の効果】
【０００５】
従ってプレイヤーが、自然に基本グリップを作れ、オーバースイングを防ぎインパクト時の衝撃にもゆるまず、ミスショットを減らす効果がある。
【考案を実施するための最良の形態】
【０００６】
常に基本グリップを作り、スイング中クラブのグリップ部分と手の握りに一体感がでる。
【実施例１】
【０００７】
「ゆるまない基本グリップを作る」ゴルフ手袋の試作品。  （図４）
【産業上の利用可能性】
【０００８】
これまでグリップの基本的な握りに付いての書物などが在るがうまく固定されないが、「ゆるまない基本グリップを作る」ゴルフ手袋を使うことにより、他の基本的な形を必要とする場合に応用することが出来る。
【図面の簡単な説明】
【０００９】
【図１】左手用、手袋の親指と人差し指の付け根部分を密着した形状に縫製する。
【図２】左手用の手袋の中指・薬指及び小指の３本を密着した形状に縫製する。
【図３】右手用の手袋の親指と人差し指の付け根部分を密着した形状に縫製する。
【図１】
0003221352.tif 000003
【図２】
0003221352.tif 000004
【図３】
0003221352.tif 000005
【手続補正書】
【提出日】平成31年3月15日(2019.3.15)
【手続補正１】
【補正対象書類名】実用新案登録請求の範囲
【補正対象項目名】請求項１
【補正方法】変更
【補正の内容】
【請求項１】
親指と人差し指の付け根部分を密着した形状に縫製され、かつ、中指・薬指及び小指の３本を密着した形状に縫製された、左手用の手袋と、親指と人差し指の付け根部分を密着した形状に縫製された、右手用の手袋とからなる左手用及び右手用の１対のゴルフ手袋。
(57)【要約】      （修正有）【課題】軽薄なプラスチックフィルムを折り曲げ袋状に溶着加工して形成し、素材をたわませることによりポケット口が大きく開き、収納物を出し入れしやすい収納ケースを提供する。【解決手段】可撓性のあるプラスチックフィルムを折り曲げ、表面フィルムと裏面フィルムｃとフタ部ｇを形成し、底辺となる折曲部ａに隣接する辺をそれぞれ折曲部側に三分の一〜二分の一の幅で溶着加工し、フタ部を開く際に裏面フィルムを外側にたわませる構造を備える。【選択図】図４
0003221330.tif 000002
【実用新案登録請求の範囲】
【請求項１】
本考案はプラスチックフィルムを折り曲げることにより、表面フィルムと裏面フィルムを形成し、裏面フィルムから連続するフタ部をもって構成し、底辺となる折曲線に隣接する辺ｄ、辺eをそれぞれ折曲線側に三分の一〜二分の一の幅で溶着加工し、フタを開く際に裏面フィルムを外側にたわませることを特徴とするチケット収納ケース。
【請求項２】
材料であるプラスチックフィルムに印刷等を用い抗菌加工を施すことにより、収納するマスク等を清潔に収納し携行することができる請求項1のチケット収納ケース。
【考案の詳細な説明】
【技術分野】
【０００１】
本考案はプラスチックフィルムを重ね合わせ形成された収納ケースに関する。
【背景技術】
【０００２】
プラスチックフィルムを折り曲げて重ね合わせ、溶着加工にて接合したチケットやマスク等を収納するケースは一般的に使用されている。
【考案の概要】
【考案が解決しようとする課題】
【０００３】
従来の軽薄なプラスチックフィルムを用いて製作された収納ケースの多くは、ポケット部の溶着加工が底辺となる折曲線に隣接する2辺のそれぞれ端から端まで及んでおり、ポケットの開口部を大きく開くことができないため、収納する物が出し入れしにくいといった課題があった。
【課題を解決するための手段】
【０００４】
本考案は可撓性のある軽薄なプラスチックフィルムを折り曲げ、ポケット部を重ね合わせ表面フィルムと裏面フィルムを形成し、さらに裏面フィルムに連続するフタ部を折り曲げ形成し、底辺となる折曲辺に隣接する2つの辺を溶着加工にて接合し形成されるが、溶着部分の長さをそれぞれの辺の三分の一〜二分の一にすることにより、フタ部を開いた際に裏面フィルムがたわむことにより、ポケット口が大きく開き収納物が出し入れしやすい構造とすることにより解決する。
【考案の効果】
【０００５】
以上のことから本考案では、図5の示す通りフタ部を開いた際に裏面フィルムがたわむ構造を備え、ポケット口が大きく開くことにより収納物の出し入れが容易になるため、使用者の利便性を向上することが可能である。
【図面の簡単な説明】
【０００６】
【図１】型抜きされたプラスチックフィルムを示す図
【図２】本考案のチケット収納ケースの製作過程を示す図
【図３】本考案のチケット収納ケースを仕上げた状態を示す図
【図４】本考案のチケット収納ケースのポケット部を開放した状態を示す図
【図５】本考案に収納物を収納する状態を示す図
【考案を実施するための形態】
【０００７】
以下、本考案の形態を図に基づいて説明する。
【実施例】
【０００８】
図１は型抜きされた1枚の可撓性のあるプラスチックフィルムであって、このプラスチックフィルム図１の折曲線aを図2の通り折り曲げることにより、表面シートbと裏面シートcで構成され、それらを重ね合わせ折曲線aに隣接する辺d及び辺eのそれぞれ三分の一〜二分の一を折曲線側に溶着加工にて接合することによりポケット部が形成され、さらに折曲線fを手前に折ることによりフタ部gが形成され、図3の通りフタを閉じることにより内容物の飛び出しを防止する。
【０００９】
実施例として図4の示すように、裏面フィルムcの折曲線aに隣接する辺d及び辺eの開口部側の二分の一〜三分の二は溶着されておらず、フタ部gを開いた際に裏面フィルムcがたわんでポケットの開口部が広がる構造を備えることにより、図5の示すように収納する物の出し入れが容易になる。
【００１０】
本考案の素材となるプラスチックフィルムに印刷等を用いて抗菌加工を施すことにより、ケースに付着した雑菌の増殖を抑制し、衛生的にマスク等を収納することが可能である。
【符号の説明】
【００１１】
a  折曲線
b  表面フィルム
c  裏面フィルム
d  辺
e  辺
f  折曲線
g  フタ部
h  溶着部
i  収納物
【図１】
0003221330.tif 000003
【図２】
0003221330.tif 000004
【図３】
0003221330.tif 000005
【図４】
0003221330.tif 000006
【図５】
0003221330.tif 000007
【手続補正書】
【提出日】平成31年3月14日(2019.3.14)
【手続補正１】
【補正対象書類名】実用新案登録請求の範囲
【補正対象項目名】全文
【補正方法】変更
【補正の内容】
【実用新案登録請求の範囲】
【請求項１】
プラスチックフィルムを第１の折曲線に沿って折り曲げることにより、表面フィルムと裏面フィルムが形成され、前記裏面フィルムを第２の折曲線に沿って折り曲げることにより、フタ部が形成されたチケット収納ケースであって、前記第１の折曲線の左右各端部から前記第２の折曲線の左右各端部の方向に延びる前記表面フィルムと、前期裏面フィルムとを溶着する２つの溶着加工部が設けられており、前記２つの溶着加工部は、前記第１の折曲線の左右各端部から、前記第１の折曲線の左右各端部と前記第二の折曲線の左右各端部間の距離の三分の一〜二分の一の長さの位置まで溶着されていることにより、前記フタ部を開く際に前記裏面のフィルムを外側にたわませることを特徴とするチケット収納ケース。
【請求項２】
材料であるプラスチックフィルムに印刷を用い抗菌加工を施すことにより、収納するマスクを清潔に収納し携行することができる請求項1に記載のチケット収納ケース。
(57)【要約】      （修正有）【課題】軽量鉄骨構造体の曲げ強度をＨ形鋼に近づけることが可能となる併設鋼管構造体の連結材を提供する。【解決手段】併設鋼管構造体の梁や柱の鋼管の間に配置された連結材で、鋼管に接する辺の両端部が、連結材が受ける回転の押付力でたわむ様に先細り形状ａになっている。【選択図】図１
0003221327.tif 000002
【実用新案登録請求の範囲】
【請求項１】
小型Ｈ形鋼の曲げ強度の代替としての併設鋼管構造体の梁や柱に利用の鋼管の間に配置された連結材の形状において、図１のように回転モーメントにより鋼管へ押し付ける辺のコーナー部分が復元可能レベルのタワミを生じさせるようａ部を欠いた形状。
【考案の詳細な説明】
【技術分野】
【０００１】    本考案は、小型Ｈ形鋼の曲げ強度の代替としての併設鋼管の構造を有する梁や柱に利用の併設鋼管の配置される分割式連結材に関する形状についてである。
【背景技術】
【０００２】    従来から、梁や柱に利用する小型Ｈ形鋼の曲げ強度に近づけるために、併設鋼管構造の内外鋼管に連結する金物を配置することで実現しているが、まだ、同等強度には、到達していない。
【考案の概要】
【０００３】  図１は、連結材に生じる回転力が、鋼管の特に連結材コーナー部の圧接による、局部応力による曲げが、全構造体の曲げ強度の低下する原因の１つになっている。そのため連結部コーナー部からの圧接長さ、面積を大きくし、さらに、コーナー部には、多少の変形を許容する工夫として、ａ部のような鍵形状を追加した。
【考案の効果】
【０００４】  上述のように、復元可能な連結材コーナー部形状が存在することで、鋼管の局部圧接による強度が低下せず、そのことで、軽量鉄骨構造体の曲げ強度をＨ形鋼のものに近づけることが、可能となる。
【図面の簡単な説明】
【０００５】
【図１】は本考案で一般な形状例であり図３のｄ部の拡大図です。また、ｂ部は軽減された圧縮応力イメージ図です。
【図２】は、考案の元となる形状の例である。ｃ部のハッチング部は、圧縮応力イメージ図です。
【図３】は本考案の一般な組立構造の例である。
【図１】
0003221327.tif 000003
【図２】
0003221327.tif 000004
【図３】
0003221327.tif 000005
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
併設鋼管構造体の梁や柱の鋼管の間に配置された連結材で、鋼管に接する辺の両端部が、連結材が受ける回転の押付力でたわむ様に先細り形状ａになっていることを特徴とする併設鋼管構造体の連結材。
(57)【要約】      （修正有）【課題】睾丸部への尿の付着を防ぐ男性用前開き尿漏れパッドを提供する。【解決手段】袋状になったパットに切込みを入れた開口部２を設け、開口部２裏面に接着剤を塗布し、下着開口部に合わせ接着し、袋状になった部分にペニスを納め、ペニスと睾丸を仕切り、睾丸部への尿の付着を防ぐ。【選択図】図１
0003221323.tif 000002
【実用新案登録請求の範囲】
【請求項１】
加齢に伴う、過活動膀胱、前立腺肥大等の疾病や健常者の間で尿の「チョイ漏れ」で悩める男性が増加の一途を辿っております。
現在市販されておりますチョイ漏れ吸収パットを使用してみましたが、使用上不満をいだいておりまして使い易さを追求し、改良考案した次第です。
▲１▼  貼付パットの前部中心に開口部を設ける
▲２▼  ペニスと睾丸を仕切り、睾丸部に尿の附着を防ぐ
以上  ２点を特徴とする男性用前開き尿漏れパットです。
【考案の詳細な説明】
【技術分野】
【０００１】  本考案は、從来の尿漏れパットに前開部
0003221323.tif 000003
にしたものです。
【背景技術】
【０００２】使用体験により考案されたものであり、從来型は排尿の際に、下着を横にずらして使用するため大変難儀な動作になり、用を達して元の吸収部に戻す際に残尿が漏れ他に附着し不衛生で不快感を残します。
またパットが下腹部全体を押さえており、残尿モレが睾丸に附着し、アレルギー症状やムレによ痒が生じ炎症を発症させます。
【考案の概要】
【考案を解決しようとする課題】
【０００３】  本考案は、パットに開口部を設けることにより、下着を横にずらすことなく、ズボンの開口部と同位置に開口部を切り込むことにより、ずらすことなく用を達します。
【考案の効果】
【０００４】上述の通り、既に市販されているパットを実際に利用した体験から悩みの解消のために考案されたものです。
悩める男性諸氏が少しでも爽やかな日常生活が送れること念願して考案したもので衛生的かつ使いが容易です。
【図面の簡単な説明】
【０００５】
【図１】  本考案の前開き尿漏れパットの正面図である。
【図２】  本考案の立体図である。
【考案を実施するための形態】
【０００６】  形態は図面の通りある。
本体の素材は、次の通りである。
表面材：ポリオレフィン・ポリエステル不織材
吸収材：綿状パルプ、吸収紙・高分子吸収材
防水材：ポリオレフィンフィルム
止着材：スチレン系エラストマー合成樹脂
伸縮材：ポリウレタン
結合材：スチレン系エラストマ合成樹脂
抗菌材の種類：セチルビリジュウムクロリド
抗菌加工部位  ティッシュ
【実施例】
【０００７】以下、添付図面に從って実施例を説明する。パットの前面中心部に開口部を設ける。立体図面の様に袋状のところは、ペニスの挿入袋であり、睾丸部とを別々にする。
開口部を設けることにより、用を達するための動作が容易となる。從来形の下着の端寄せをせずに開口部よりズボンの開口部と同位置であるため、出し入れを容易とする。
１番の重要なポイントは、開口部の最下部の位置が袋部の最上部の高さより低くすること。
睾丸との区分が容易で安定する。
【符号の説明】
【０００８】１．  前開放形本体
２    開放部
３    吸収部
４    本体裏側は接着部
【図１】
0003221323.tif 000004
【図２】
0003221323.tif 000005
【手続補正書】
【提出日】平成31年1月11日(2019.1.11)
【手続補正１】
【補正対象書類名】実用新案登録請求の範囲
【補正対象項目名】全文
【補正方法】変更
【補正の内容】
【実用新案登録請求の範囲】
【請求項１】
袋状になったパットに切込みを入れた開口部を設け、開口部裏面に接合剤を塗布し、下着開口部に合せ接着、袋状になった部分にペニスを納め、ペニスと睾丸を切切り、尿の睾丸部への付着を防ぐ、男性用前開き尿漏れパット。
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
袋状になったパットに切込みを入れた開口部を設け、開口部裏面に接着剤を塗布し、下着開口部に合わせ接着し、袋状になった部分にペニスを納め、ペニスと睾丸を仕切り、睾丸部への尿の付着を防ぐ、男性用前開き尿漏れパット。
(57)【要約】      （修正有）【課題】マスクの出し入れが容易なマスク一時保管ケースを提供する。【解決手段】使用中のマスク１００を一時的に保管するケースであって、マスク一時保管ケースはマスクを短辺方向二ッ折りにした状態の巾と略同じまたは二ッ折りにした状態の巾よりわずかに大きい巾に形成され、マスクの長辺方向の寸法と略同じ寸法または長辺方向の寸法より大きい寸法の長さで形成された、袋体である。ケース本体１０は長さ方向の一端に開放口を有する。【選択図】図１
0003221326.tif 000002
【実用新案登録請求の範囲】
【請求項１】
使用中のマスクを一時的に保管するマスク一時保管ケースであってマスクを、短辺方向で、二ッ折りにした、状態の巾と、略同じ、または、二ツ折にした、状態の巾より、わずかに大きい、マスクの長辺方向の寸法と略同じ、寸法または、長辺方向の寸法より、大きい寸法の長さで、形成、された、袋体であり、長さ方向の一端が、開放されている。
マスク一時保管ケース。
【考案の詳細な説明】
【技術分野】
【０００１】本考案は、防水加工の布を用い、使い拾マスクを一時的に保管するためのものである。
【背景技術】
【０００２】花粉症や風邪が流行する季節に、マスクをして、外出すると、食事等の際に、一時的にマスクを、外すが、バックや衣類のポケットに、そのまま、しまうと、再度、使用する際に、マスクの形が崩れていた。
【考案の概要】
【考案が解決しようとする課題】
【０００３】バックやポケットに、そのまま、しわずに、ケースに入れる場合、素材が硬質であったり、サイズが大きいものであったりすると、出し入れが面倒である。
【課題を解決するための手段】
【０００４】使用中のマスクを一時的に保管する、マスク一時保管ケースで、あって、マスクを短辺方向で、二ッ折りに、した状能の巾と、略同じ、又は、二ッ折りにした、状能の巾より、わずかに大きい
マスクの長辺方向の寸法と略同じ、寸法又は、長辺方向の寸法より、大きい寸法の長さで、形成された袋体であり、長さ方向の一端が開放されている。
マスク一時保管ケース。
【考案の効果】
【０００５】本考案に、よれば、マスクを二ッ折に、した、コンパクトなサイズで保管できると、ともにマスクの出し入れが容易なマスク一時保管ケースを提供できる。
【図面の簡単な説明】
【０００６】
【図１】本考案の実施形態に保るマスク一時保管ケースの使用方法を説明する図である。
【図２】本考案の実施形態に保るマスク一時保管ケースの製造方法を説明する図である。
【考案を実施するための形態】
【０００７】以下添付図面にしたがって一実施例を説明する。
使用中のマスク１００を一時的に保管するマスク保管ケース１であってマスク１００を、短辺方向に、二ッ折りにした状態の巾と略同じまたは二ッ折りにした状態の巾よりわずかに、大きい巾に形成されマスク１００長辺方向の寸法と略同じ寸法または長辺方向の寸法より大きい寸法の長さで形成された袋体であり、長さ方向の一端が開放されているマスク一時保管ケース１。
【０００８】マスク一時保管ケース１  利用者はマスク１００のプリーツに沿って、長方形にマスク１００を二ッ折りにたたみ口２０よりマスク１００をスライドさせて収納する。取り出し時は、マスク１００の端にある耳かけ紐をつまみ、取り出しマスク１００を再度利用する。
本体１０は撥水加工のある布地が用いるのが望ましい。
【０００９】本体１０は例えば３４ｃｍ×６ｃｍの長方形の布でありこの本体１０を二ッ折りにし短い辺の一方の口２０がマスク収納口２０として空いている、あえてファスナーやフック、ボタンを付けずスライドするだけで取り出しが可能である。マスク１００のプリーツに沿って折りたたみ収納すれば形状の崩れなく司祭利用できる。
【００１０】上述の様に本考案のマスク一時保管ケース１は箱型や巾着袋のようなケースとはことなりスライドさせるように、マスク１００を収納できるために持ち運びが、苦にならない。サイズの重さまた日頃から気軽に用いることが出来  出先でも  マスク１００を一時的に  外すたびに、形が崩れたり再度利用しようと、したときに、カバンの中の他のもの  の汚れが付着し、再利用が、できなかったりと  いった出先でのマスク１００利用に  おける不便を解消するものとして役立つ。
【００１１】本体１０を二ッ折りにし張りのある布を両端をうらにして、縫い合せ  その本体１０をひっくり返すことで出し入れ口２０が丸みに形状し軽重で出し入れしやすい形状とする。
【００１２】    １  マスク一時保管ケース
１０  本休
２０  口
１００  マスク
【図１】
0003221326.tif 000003
【図２】
0003221326.tif 000004
【手続補正書】
【提出日】平成31年2月15日(2019.2.15)
【手続補正１】
【補正対象書類名】実用新案登録請求の範囲
【補正対象項目名】全文
【補正方法】変更
【補正の内容】
【実用新案登録請求の範囲】
【請求項１】
使用中のマスクを一時的に保管するマスク一時保管ケースであって、マスクを短辺方向で二ッ折りにした状態の巾と略同じ、又は、わずかに大きい巾で、巾と直交する長さ方向はマスクの長辺方向の寸法と略同じ、又は、大きい寸法で形成された袋体であり、前記長さの方向の一端が開放されていることを特徴とするマスク一時保管ケース。
(57)【要約】      （修正有）【課題】片腕の方でも背中全体を洗えるタオルを提供する。【解決手段】タオル１にゴム２を縫い付け、ゴム２にＳ字フック３を縫い付けてＳ字フック３を風呂用の椅子の切れ目に引っ掛け、手前にタオル１を引けば背中が洗える。【選択図】図１
0003221325.tif 000002
【実用新案登録請求の範囲】
【請求項１】
タオルに伸縮するするゴムを縫い付け、そのゴムにＳ字フックを縫い付け、風呂用の椅子の切れ目にＳ字フックを引っ掛けて、手前に力を入れて引くと、ゴムが伸び、力を抜くとゴムが戻る作用を利用して、背中全体が洗える事を特徴とするタオル。
【考案の詳細な説明】
【技術分野】
【０００１】    本考案は、腕が不自由で、背中が自分で洗えない人に自分でしっかりと洗えるタオルである。
【背景技術】
【０００２】    今までは、先にブラシがついた棒で背中を洗うしかなく、ブラシが届く所しか洗えなく、背中全体を洗うことは困難だった。
【考案の概要】
【考案が解決しようとする課題】
【０００３】    このタオルで、片腕でも背中全体を洗うことができるようにする。
【課題を解決するための手段】
【０００４】    本考案は、お風呂用椅子の底にある排水用の切り目にＳ字フックを引っ掛けて、ゴムのついたタオルで背中全体を洗えるようにしている。
【考案の効果】
【０００５】      本考案により、片腕の不自由な方でも背中が洗える事により、精神的にも肉体的にも満足していただける。
【図面の簡単な説明】
【０００６】  ▲１▼上から見た図面
【図１】  ▲２▼後ろから見た図
【考案を実施するための形態】
【０００７】      タオルの端とゴムを縫い付け、ゴムの端にＳ字フックを縫い付ける。
【実施例】
【０００８】      以下添付図面に従って、実施例を説明する。
▲１▼タオルの端に収縮する▲２▼ゴムを縫い付け、そのゴムの端に▲３▼Ｓ字フックを縫い付け、Ｓ字フックを風呂用の▲４▼椅子の排水の切れ目に引っ掛けてタオルを背中に当てて手前に引くとゴムの伸縮により、背中が洗える。
【符号の説明】
【０００９】    ▲１▼タオル▲２▼ゴム▲３▼Ｓ字フック▲４▼椅子の排水の切れ目
【図１】
0003221325.tif 000003
【図２】
0003221325.tif 000004
【手続補正書】
【提出日】平成31年1月9日(2019.1.9)
【手続補正１】
【補正対象書類名】明細書
【補正対象項目名】０００６
【補正方法】変更
【補正の内容】
【０００６】
【図１】上から見た図面
【図２】横から見た図面
(57)【要約】      （修正有）【課題】引っ張り強度の強い強化シートを高機能携帯電話端末等に貼ることにより、落下による破損、盗難防止となる、提げ紐を取付けシールを提供する。【解決手段】一箇所飛び出した形にカットして飛び出した部分に穴を開け、穴の内側にプラスチック又は金属の補強を施し、高機能携帯電話端末等に貼り付け、穴７に提げ紐８を取付ける。【選択図】図１
0003221362.tif 000002
【実用新案登録請求の範囲】
【請求項１】
片面が粘着層のシートに引っ張り強度の強い強化シートを圧着し、シートを一箇所飛び出した形にカットして飛び出した部分に穴を開け、穴の内側にプラスチック又は金属の補強を施した、高機能携帯電話端末等に提げ紐が取付けられるシール。
【考案の詳細な説明】
【技術分野】
【０００１】  本考案は、高機能携帯電話端末等に提げ紐を取付けられるシールに関する物である。
【背景技術】
【０００２】  高機能携帯電話端末等には従来の携帯電話端末に設置されていた提げ紐を取付けられる構造が無い物が多く、落下による破損、盗難されやすい。
【考案の概要】
【考案が解決しようとする課題】
【０００３】  高機能携帯電話端末等に加工することなく簡単に提げ紐を取付けられるシールを貼り付ける事により、前述の欠点を解決しようとするものである。
【課題を解決するための手段】
【０００４】  本考案は片面が粘着層のシートに引っ張り強度の強い強化シートを圧着し、シートを一箇所飛び出した形にカットして飛び出した部分に穴を開け、穴の内側にプラスチック又は金属の補強を施したシールを高機能携帯電話端末等に貼ることで提げ紐が取付け出来ない問題点を解決している。
【考案の効果】
【０００５】  上述の様に、高機能携帯電話端末等に本考案のシールを簡単に貼るだけで、提げ紐が取付ける事が出来る、また、本考案は薄い事により、高機能携帯電話端末等をケースに入れた状態でも提げ紐が取付けられられるので落下防止や盗難防止に役立つ。
【図面の簡単な説明】
【０００６】
【図１】  本考案の高機能携帯電話端末等に提げ紐を取付けられるシールの一実施例を示す俯瞰図である。
【考案を実施するための形態】
【０００７】片面が粘着層のシートに引っ張り強度の強い強化シートを圧着し、シートを一箇所飛び出した形にカットして飛び出した部分に穴を開け、穴の内側にプラスチック又は金属の補強を施した、高機能携帯電話端末等に提げ紐が取付けられるシール。
【実施例】
【０００８】  以下、添付図面に従って一実施例を説明する。本考案は基盤になる４のシートに３の強化プラスチックシート、繊維及び金属シート等を圧着し、５の粘着層を貼り付けた積層シートを材料とする１を一箇所飛び出した形にカットして飛び出した部分に穴を開け、穴の内側に２のプラスチック又は金属の補強を施す。【０００９】  ６の高機能携帯電話端末等に１ｂの様に貼り付け、７の穴に８の提げ紐を取付ける。また、１ａの寸法を小さくすることにより、高機能携帯電話端末等のケースの充電口からも容易に外側に７の穴がケースの外側に出る事により、ケースを付けた状態でも提げ紐を取付けることが出来るようにする
【符号の説明】
【００１０】１  シート本体
２  穴の補強
３  補強シート
４  基盤のシート
５  粘着層
６  高機能携帯電話端末等
７  提げ紐を取付ける穴
８  提げ紐
【図１】
0003221362.tif 000003
(57)【要約】【課題】ラップフィルムの上下方向の中央に、長手方向に沿って連続して設けた印により、ラップフィルムの方向と、その印の形態とカラーの違いにより、被包装物を識別できるようにする。【解決手段】ラップフィルムの上下方向の中央に、長手方向に沿って連続的に印を設ける。この印は、直線または点線の連続模様で、各種カラーまたは蛍光色で着色する。【選択図】図１
0003221363.tif 000002
【実用新案登録請求の範囲】
【請求項１】
ラップフィルムの上下方向の中央に、長手方向に沿って連続した印を付けた、食品包装用ラップフィルム。
【請求項２】
印は、直線または点線の各種カラーまたは蛍光色に着色した請求項１の食品包装用ラップフィルム。
【考案の詳細な説明】
【技術分野】
【０００１】本考案は、食品包装用ラップフィルムに印を付け、ラップフィルムの方向と、その印の形態やカラーの違いにより、被包装物の識別ができるようにした、食品包装用ラップフィルムに関するものである。
【背景技術】
【０００２】従来、食品包装用ラップフィルムは、食品など被包装物を密閉包装することにより外気から遮断し、その食品や被包装物の鮮度や衛生などを保持するために広く使用されている。ところで、このラップフィルムの使用状況により、同じラップフィルムを数回使用することがある。この場合、被包装物よりラップフィルムを一旦剥がす必要があるがこの時、ラップフィルムを剥がし始める部位によって、破れやすい部位と比較的破れにくい部位がある従って、これを見分ける必要がある。
又、比較的に大きい被包装物を包む場合、被包装物を完全に覆う必要があるため、被包装物より大きいラップフィルムを使用するが、その被包装物が大きければ大きい程、ラップフィルムの中央に被包装物の中央がくるようにセットするのに苦労する。ラップフィルムの大きさにあまり余裕がない場合又、使用者が、視力が弱い場合はなおさらである。
又、被包装物が食品の場合、それを食する個人によって、健康上或いは、体質上の理由から、食材が制限される場合がある又、被包装される食品の、賞味期限を重視する場合、他の食品と区別する必要がある場合がある。
【考案の概要】
【考案が解決しようとする課題】
【０００３】前記ラップフィルムは、そのフィルム本体が巻芯にロール状に巻き付けられて、収納箱に収納されている。このフィルムを実際に使用する場合、収納箱からフィルムを引き出して任意の長さで裁断して使用するのであるが、それを裁断する手段として、収納箱に取り付けられている金属製あるいは非金属製の、のこぎり刃状の裁断刃で裁断して使用する。従って、裁断された後のフィルムの裁断面は、のこぎり刃状となる。一方、その裁断面の両端面はそのラップフィルムの製造工程で裁断されたそのままの形であるため、この面は凹凸のないきれいな一直線である。
さて、このフィルムが一旦使用された後、再度使用するため被包装物より剥がそうとした場合、のこぎり刃状の裁断面より凹凸のない直線裁断面から剥がしたほうが破れることが少ない。【０００４】ラップフィルムは、被包装物を完全に密閉する必要から、被包装物よりも大きいラップフィルムを使用するが、この場合、フィルムの長方向は、収納箱より任意の長さを引き出して使用できるので問題はないが、ラップフィルムの上下方向は、ラップフィツム固有の一定の長さ故、特に、ラップフィルムと被包装物の大きさにあまり余裕のない場合、又、使用者が弱視の場合は、完全に被包装物を包むのに苦労する。【０００５】被包装物が食品の場合、それを食する個人によって、健康上或いは体質上、食材が制限されることがある、又、食品には賞味期限がある場合がほとんどである、従ってこの場合、他と区別する必要がある。
【課題を解決するための手段】
【０００６】本考案は、食品包装用ラップフィルに印を付けることにより、ラップフィルムを剥がす場合、比較的破れ難い部位を見分けることができる。【０００７】ラップフィルムで被包装物を包む場合、被包装物を完全に密封できるようにセットする必要があるが、ラップフィルムの当考案の印と、被包装物の中央を合わすことにより容易にセットできる。ラップフィルムが透明の場合、特に視力の弱い人が使用する場合はより効果的である【０００８】本考案の印で、印の形態又は、色の違うラップフィルムを数通りか用意することにより、被包装物の違いが簡単に識別できる。
【考案の効果】
【０００９】この考案は、ラップフィルムに単に印をつけることによって、ラップフィルムの方向と、又、印の形態や色の違うラップフィルムを用意することによって、その被包装物を識別することができる。
【図面の簡単な説明】
【０００１０】
【図１】収納箱から本考案が施されたラップフィルムを引き出した状態の斜視図である。
【図２】本考案が施されたラップフィルムの、一部裁断された平面図である。
【考案を実施するための形態】
【０００１１】本考案の実施形態は以下の通りです。
（イ）収納箱（２）にはラップフィルム（６）が収納されている。
（ロ）ラップフィルム（６）には図１及び、図２に示されているように、その上下方向の中央に、長手方向に沿って連続した印（１）が設けられている。
（ハ）収納箱（２）に取り付けられている金属製あるいは、非金属製の、のこぎり刃状の裁断刃（３）で裁断された後の裁断面（４）である。
（二）ラップフィルムの上下方向両端の裁断面（５）である。
【図１】
0003221363.tif 000003
【図２】
0003221363.tif 000004
(57)【要約】      （修正有）【課題】重さを軽くしてたのしく旅や買い物が出来るバックを提供する。【解決手段】バックの底にキャスターを付ける。【選択図】図１
0003221320.tif 000002
【実用新案登録請求の範囲】
【請求項１】
１  キヤスター付きバック
【考案の詳細な説明】
【考案の詳細な説明】
【技術分野】  バックをキャスターにより大きさを変える時に要する道具の使い方
【背景技術】  バックを大きくして荷物の量を調節していました
【考案が解決しようとする課題】
荷物の量におおじて身体の負担を楽にする
【課題を解決するための手段】
キャスターを使い身体の負担を楽にして課題を解決する
【考案を実施するための形態】
【実施例】  実際に使ってみてみんなに好ましい良さを感じていただける商品である
【考案の効果】
【図１】
0003221320.tif 000003
【手続補正書】
【提出日】平成30年9月18日(2018.9.18)
【手続補正１】
【補正対象書類名】実用新案登録請求の範囲
【補正対象項目名】全文
【補正方法】変更
【補正の内容】
【実用新案登録請求の範囲】
【請求項１】
電車・バス等・乗り物にもつバックの使い方に変化を付けて軽くて、楽しく持てるバックに考案をしましたので、みんなに喜んでいたた”きたいです。
【請求項２】
軽いバックにするためにバックの底にキャスターを付けて見ました。
【手続補正３】
【補正対象書類名】明細書
【補正対象項目名】全文
【補正方法】変更
【補正の内容】
【考案の詳細な説明】
【考案の詳細な説明】
【技術分野】バックをキャスターにより大きさを変える時に要する道具の使い方
【背景技術】バックを大きくして荷物の量を調節していました。
【考案が解決しょうとする課題】
荷物の量におおじて身体の負担を楽にする。
【課題を解決するための手段】
キャスターを使い身体の負担を楽にして課題を解決する。
【考案を実施するための形態】
【実施例】実際に使ってみてみんなに好ましい良さを感じていただける商品である。
【考案の効果】
【図面の簡単な説明】
【図１】
0003221320.tif 000004
【手続補正書】
【提出日】平成30年11月29日(2018.11.29)
【手続補正１】
【補正対象書類名】実用新案登録請求の範囲
【補正対象項目名】全文
【補正方法】変更
【補正の内容】
【実用新案登録請求の範囲】
【請求項１】
電車・バス等・乗り物にもつバックの使い方に変化を付けて軽く持てるバックにすることを考案する
軽いバックにするためにバックの底にキャスターを付けて底板とバックの組み合わせに変化をつけて更にキャスターつきの底板にバックをのせて使うとがバックを変えて使うことが出来て大きさも変えて使うことも出来るので良い特徴とするバック
【請求項２】
キャスターをつけた底板とバックの大きさに変化を付けることを特徴とするバック
【手続補正２】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【考案の詳細な説明】
【０００１】
【技術分野】
【０００２】バックをキャスターにより大きさを変える時に要する道具の使い方
【背景技術】
【０００３】バックを大きくして荷物の量を調節しています
【考案が解決しょうとする課題】
【０００４】荷物の量におおじて身体の負担を楽にする。
【課題を解決するための手段】
【０００５】キャスターを使い身体の負担を楽にして課題を解決する。
【考案を実施するための形態】
【０００６】
【実施例】
【０００７】実際に使ってみてみんなに好ましい良さを感じていただける商品である。
【考案の効果】
【０００８】
【図面の簡単な説明】
【０００９】
【図１】軽く持つことを特徴とするバックの斜視図
【図２】図１と図２を組み合わせて使うことを特徴とするバックの斜視図
【符号の説明】
【０００１０】［図１］
１  ５の持つところを上下に長さを変える事ができます。
２  両面テープでバックのふたをする事ができる。
３  ６でひもをつける輪
４  バックの底に付けるキャスター
５  バックを持つとって
６  ひもで軽く縛りもちやすくする。【０００１１】［図２］
１  キャスター
２  底板
【手続補正３】
【補正対象書類名】図面
【補正対象項目名】全図
【補正方法】変更
【補正の内容】
【図１】
0003221320.tif 000005
【図２】
0003221320.tif 000006
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
バックの底にキャスターが設けられていることを特徴とするキャスター付きバック。
(57)【要約】【課題】従来、飲料容器を水で洗浄後、逆さにして収納しようとすると、グラスホルダーやグラスハンガーと呼ばれる製品をキッチンに取り付けるための設置スペースが必要であった。しかし、集合住宅のような手狭な台所ではそのスペースを確保することが困難であるという欠点があった。本考案は、グラスホルダーやグラスハンガーをキッチンに設置するスペースがなくてもキッチンにあるステンレス製の棚に磁石を利用して、直接吸着することができる飲料容器を提供することを目的としている。【解決手段】飲料容器の底に磁石を接着し、キッチンのステンレス製の棚に磁力により直接逆さまに吸着することができるようにする。また、磁力によって吸い付く際の衝撃で飲料容器が破損したりすることを防ぐため、飲料容器の底と磁石の間にスポンジ等のクッションを挟む。【選択図】図１
0003221611.tif 000002
【実用新案登録請求の範囲】
【請求項１】
飲料容器の底にスポンジ等のクッションを介して磁石を接着したことを特徴とする磁石付き飲料容器。
【考案の詳細な説明】
【技術分野】
【０００１】
本考案は、飲料容器をキッチン付属のステンレス製の棚に直接吸着するための飲料容器に関する。
【背景技術】
【０００２】
飲料容器は使用後、水で洗浄してから収納する場合が多い。そのようなとき、飲料容器を逆さにして吊り下げることができれば、拭き取りの手間を省くことができ、非常に便利である。そのため飲料容器を逆さにして収納するためのグラスホルダーやグラスハンガーと呼ばれる製品が市販されている。
【先行技術文献】
【特許文献】
【０００３】
【特許文献１】特開2014-226240
【特許文献２】実用新案登録第3210400号
【特許文献３】特開2016-83327
【特許文献４】特開2011-224027
【特許文献５】特開2004-223230
【特許文献６】実用新案登録第3145750号
【特許文献７】実開昭61-100222
【考案の概要】
【考案が解決しようとする課題】
【０００４】
従来、飲料容器を水で洗浄後、逆さにして収納しようとすると、グラスホルダーやグラスハンガーと呼ばれる製品をキッチンに取り付けるための設置スペースが必要であった。しかし、集合住宅のような手狭な台所ではそのスペースを確保することが困難であるという欠点があった。本考案は、グラスホルダーやグラスハンガーをキッチンに設置するスペースがなくてもキッチンにあるステンレス製の棚に磁石を利用して、直接吸着することができる飲料容器を提供することを目的としている。
【課題を解決するための手段】
【０００５】
本考案は以上の点を解決するために次のような構成を採用する.
飲料容器の底に磁石を接着し、キッチンのステンレス製の棚に磁力により直接逆さまに吸着することができるようにする。また、磁力によって吸い付く際の衝撃で飲料容器が破損したりすることを防ぐため、飲料容器の底と磁石の間にスポンジ等のクッションを挟む。
【考案の効果】
【０００６】
本考案の磁石付き飲料容器には次のような効果がある。
飲料容器の底にスポンジ等のクッションを挟んで磁石が接着されているため、キッチンのステンレス製の棚に直接逆さまに吸着することができ、手狭な台所でもグラスホルダーやグラスハンガーをキッチンに設置するスペースを必要としない利点がある。また、中間にスポンジ等のクッションが挟まれているので、磁力によって吸い付く際の衝撃で飲料容器が破損するのを防止することもできる。
【図面の簡単な説明】
【０００７】
【図１】この考案の構成の具体例を示す図面である。
【図２】この考案をステンレス製の棚に直接吸着した際の具体例を示す図面である。
【考案を実施するための形態】
【０００８】
以下、本考案を図の具体例を用いて詳細に説明する。
【実施例】
【０００９】
図１に、本考案のキッチン付属のステンレス製の棚に直接吸着するための磁石付き飲料容器の構成の具体例を示す。
飲料容器１の底にスポンジのクッション２を挟んで磁石３を接着する。
本考案は次のようにして使用する。
図２に示すように飲料容器を使用後、水で洗浄し、キッチンのステンレス製の棚４に磁力により直接逆さまに吸着して使用する。
【産業上の利用可能性】
【００１０】
以上のように、この考案の磁石付き飲料容器は、手狭な台所で専用のグラスホルダーやグラスハンガーをキッチンに設置するスペースがなくても水で洗浄後の飲料容器を逆さにして、キッチンのステンレス製の棚に磁力により直接吸着して収納することができる。
【符号の説明】
【００１１】
１  飲料容器
２  クッション
３  磁石
４  ステンレス製の棚
【図１】
0003221611.tif 000003
【図２】
0003221611.tif 000004